(57)【要約】【課題】前段の中継装置に回線断や電源の入／切等があっても、ＴＳＬ中継装置に影響を与えず、正常に補助信号を伝送し、この補助信号を利用した中継装置のリモート制御・監視が正常動作するＴＳＬ中継装置の実現を目的とする。【解決手段】前段の中継装置からのＴＳ信号に補助信号を多重して変調する送信制御部と、当該変調されたＴＳ信号を所定の無線周波数へ変換して送信する送信高周波部と、この受信信号を所定の周波数へ変換する受信高周波部と、当該信号を復調して元のＴＳ信号を出力する受信制御部を有する中継装置において、前段の中継装置からのＴＳ信号の同期信号を検出できなくなった場合、ＴＳ信号の代わりに所定のテスト信号を補助信号に多重し、補助信号入力がなくなった場合、補助信号の代わりに所定のダミーデータをＴＳ信号に多重するようにしたものである。【選択図】　　　図１
2004104578.tif 000002
【特許請求の範囲】
【請求項１】
前段の中継装置からのＴＳ（Ｔｒａｎｓｐｏｒｔ　Ｓｔｒｅａｍ）信号に補助信号を多重して変調する送信制御部と、当該変調されたＴＳ信号を所定の無線周波数へ変換して送信する送信高周波部と、この受信信号を所定の周波数へ変換する受信高周波部と、当該信号を復調して元のＴＳ信号を出力する受信制御部を有する中継装置において、上記前段の中継装置からのＴＳ信号の同期信号を検出できなくなった場合、上記ＴＳ信号の代わりに上記送信制御部内蔵の所定のテスト信号を上記補助信号に多重することを特徴とする中継装置。
【請求項２】
前段の中継装置からのＴＳ信号に補助信号を多重して変調する送信制御部と、当該変調されたＴＳ信号を所定の無線周波数へ変換して送信する送信高周波部と、この受信信号を所定の周波数へ変換する受信高周波部と、当該信号を復調して元のＴＳ信号を出力する受信制御部を有する中継装置において、上記補助信号入力がなくなった場合、当該補助信号の代わりに上記送信制御部内で所定のダミーデータを上記ＴＳ信号に多重することを特徴とする中継装置。
【発明の詳細な説明】
【０００１】
【発明の属する技術分野】
本発明は、補助信号を多重する中継装置において、送信側入力データの状態によらず、安定した本線信号と補助信号が伝送可能な手段と当該機能を内蔵した装置に関するものである。
【０００２】
【従来の技術】
放送局等において、ニュースや番組などの素材の中継伝送には、ＦＰＵ（ＦｉｅｌｄＰｉｃｋ−ｕｐ　Ｕｎｉｔ）やＴＳＬ（Ｔｒａｎｓｍｉｔｔｅｒ　ｔｏ　Ｓｔｕｄｉｏ　Ｌｉｎｋ）と呼ばれる無線式の中継装置が使われている。　ＦＰＵやＴＳＬ中継装置は、ＡＲＩＢ（Ａｓｓｏｃｉａｔｉｏｎ　ｏｆ　Ｒａｄｉｏ　Ｉｎｄｕｓｔｒｉｅｓ　ａｎｄ　Ｂｕｓｉｎｅｓｓ）により標準規格が策定されている。ＦＰＵ中継装置は、可搬形の無線中継装置であり中継車等により送信地点まで中継装置を持っていったり、ヘリコプタに搭載したりして最寄りの中継所（点）や放送局へ向けて素材とよばれる映像・音声信号などを伝送するシステムである。ＴＳＬ中継装置は、固定形の無線中継装置でＦＰＵ中継装置からの信号を放送局まで伝送したり、ＴＳＬ中継装置からの信号をさらに遠地へ中継伝送したりするシステムである。
ＦＰＵの使用形態は運用の便をはかるため、一般的に変調および高周波部への電源供給を行う送信制御部と、無線周波数への変換周波数および電力増幅を行う送信高周波部、受信した無線周波数を低雑音増幅して中間周波数へ変換する受信高周波部と、中間周波数を受け取り、復調および受信高周波部への電源供給を行う受信制御部に別れ構成されている。ＴＳＬ中継装置についてもＦＰＵ中継装置と同様の使用形態をとることがある。本説明では、ＴＳＬ中継装置はＦＰＵ中継装置と同じ形態で使用していることを前提に説明する。
【０００３】
前述の中継装置には、大きく分けて、アナログ方式とデジタル方式とがある。アナログ方式は、通常、映像・音声信号などを直接送信制御部に入力しアナログ変調を行い、送信高周波部にて送信し、受信高周波部にて受信し、受信制御部で元の映像・音声信号などを出力する。　デジタル方式は、中継装置内蔵あるいは外付けの映像・音声圧縮変換装置によりデジタル信号に変換し、送信制御部にてデジタル変調し、受信制御部にてデジタル復調を行い、元の映像・音声信号あるいは圧縮されたデジタル信号を出力する。　ここで、圧縮したデジタル信号は、多重・分離をしやすくするため、ＴＳ（Ｔｒａｎｓｐｏｒｔ　Ｓｔｒｅａｍ）パケット信号となっている。　中継装置には、このＴＳパケット信号をＲＳ（Ｒｅｅｄ−Ｓｏｌｏｍｏｎ）符号による誤り訂正符号化／復号化（外符号）を行う回路が内蔵されており、伝送路に適した誤り訂正を行っている。
【０００４】
従来のアナログ変調方式のＴＳＬ送信装置は、ＦＰＵ送信装置より送信された信号をＦＰＵ受信装置で受信し、次の中継地点までＴＳＬ送信装置を使い、再び伝送する「通り中継」を行っている。「通り中継」の方法は種々あるが、その内代表的な方法について説明する。まず、一般的な「ＩＦ通り中継」方式について説明する。
この方式は、無線周波数（ＲＦ）で受信した信号を、一度、周波数の低い中間周波数（ＩＦ）に変換し、そのまま送信装置に渡して、送信装置で再び無線周波数に変換し伝送する方式である。　この方式は、通り中継地点で復調・変調の処理を行わないため、受信制御部、送信制御部を不要とし、復調・再変調による劣化を生じない。　またＩＦ信号を光信号に変換し、遠地で光からＩＦ信号に戻し伝送する方式もある。
【０００５】
次に、「ベースバンド通り中継」方式について説明する。　アナログ変復調の方式では、受信高周波部で受信した信号を受信制御部において映像・音声・制御信号等に復調し、送信制御部にベースバンドである映像・音声・制御信号を入力し、再び変調し送信高周波部より送信する。このような変復調を行うことにより、初段の中継点で正しく信号が伝送できているか確認できるメリットはあるが、変復調のプロセスを経由するため、劣化が大きい。　デジタル変復調の方式では、アナログ変復調の方式と同様に、受信高周波部で受信した信号を受信制御部にて復調する。復調した信号は、ＲＳ符号化されたＴＳパケット信号から構成されているため、制御部に内蔵した誤り訂正回路により伝送路にて発生した誤りを訂正することができる。この大きなメリットにより、複数段中継を行った場合でも、誤り訂正回路の遅延量を考慮しなければ、伝送路による品質劣化がなく中継することができる。
【０００６】
ＴＳＬ中継装置では、ＡＲＩＢ規格により２種類の物理接続インタフェースが規定されている。一つの方式は、ＤＶＢ−ＡＳＩ（Ｄｉｇｉｔａｌ　Ｖｉｄｅｏ　Ｂｒｏａｄｃａｓｔｉｎｇ　ｆｏｒ　Ｅｕｒｏｐｅ−Ａｓｙｎｃｈｒｏｎｏｕｓ　Ｓｅｒｉａｌ　Ｉｎｔｅｒｆａｃｅ）、もうひとつが日本国内規格であるＡＲＩＢ　ＳＴＤ　Ｂ１８（データ・クロック別送シリアルインタフェース）である。ＤＶＢ−ＡＳＩでは信号は同期信号を含んだＴＳパケット形態で送られる。ＡＲＩＢ　ＳＴＤ　Ｂ１８では、基準となるリファレンスクロック、送信制御部への入力となるデジタルデータ、クロック信号から構成され、ＤＶＢ−ＡＳＩと同様、通常、ＴＳパケット信号が使用される。
ＴＳＬ中継装置の用途としては、ニュース・音楽番組・スポーツ中継など様々であるが、これらの回線は重要であるため、中継装置の設定を制御したり、監視したりする必要性がある。　制御・監視を行う通信回線は、公衆電話回線、専用電話回線、ＦＰＵ／ＴＳＬ中継装置の制御信号（アナログ変調方式時）を使う無線方式など様々である。
【０００７】
デジタルＴＳＬ装置では、本来、伝送する圧縮された映像・音声信号とは別に補助データと呼ばれる時間独立した信号を多重し、伝送することが可能である。この補助信号は、ＡＲＩＢ　ＳＴＤ　Ｂ１２により規定され、フレーム区間の一部を使用している。　補助信号の用途としては、中継装置のリモート（遠隔）制御・監視、サブチャンネル信号の伝送、デジタルデータの伝送など様々考えられる。中継装置のリモート制御・監視の一形態を、図２を例にして詳細に説明する。前段の中継装置（受信高周波部１２、受信制御部１３）から送られてきたＴＳ信号は、図示しないスイッチャによって信号選択された後、ＴＳＬ送信制御部１４に入力される。同時にリモコン子局１９の状態（監視信号）をデジタル多重端局装置１８に送り、ＴＳＬ送信制御部１４の補助信号として入力し伝送する。　ＴＳＬ受信装置では、送信側の逆の処理となり、ＴＳＬ受信制御部１７より補助信号を出力し、デジタル多重端局装置２０にて元の監視信号として取り出す。デジタル多重端局装置２０では、必要に応じた誤り訂正処理を行う。
【０００８】
【発明が解決しようとする課題】
前述のようなＴＳＬ中継装置で補助信号を利用してリモコン子局１９の監視を行おうとした場合、リモコン親局２１からの通信回線だけでなく、リモコン子局１９からリモコン親局２１への回線からなる双方向回線が必要で回線設置の費用がかかる。　リモコン装置による中継装置の監視は、常時行わなければいけないので、補助信号はいかなる状態でも正しく伝送できなければならない。しかし、送信制御部１４に入力する信号がなくなったり、破綻した場合、ＴＳＬ中継装置では、フレーム構造をもつデータの中身が正しくなくなり、受信側で正常に補助信号が復調できなくなる場合がある。　補助信号が復調できないと、ＴＳＬ送信中継装置に多重した監視信号、すなわち、リモコン子局の監視信号が送られないことがある。そのため、ＴＳＬ送信中継装置の入力状態により、アラームを検出した場合、補助信号により緊急に予備系統に切り換えるシステムでは、検出結果そのものを伝送できなくなる欠点がある。
また、補助信号を入力する側の装置の電源断、信号断、故障などにより、補助信号が正しく入力されない場合も、上記と同様に受信側で本線の映像・音声信号が正常に復調できなくなるおそれがある。
本発明はこれらの欠点を除去し、ＴＳＬ中継装置前段の中継装置に、回線断や電源の入／切等があっても、ＴＳＬ中継装置に影響を与えず、正常に補助信号を伝送し、この補助信号を利用した中継装置のリモート制御・監視が正常動作するＴＳＬ中継装置の実現を目的とする。
【０００９】
【課題を解決するための手段】
本発明は上記目的を達成するため、前段の中継装置からのＴＳ信号に補助信号を多重して変調する送信制御部と、当該変調されたＴＳ信号を所定の無線周波数へ変換して送信する送信高周波部と、この受信信号を所定の周波数へ変換する受信高周波部と、当該信号を復調して元のＴＳ信号を出力する受信制御部を有する中継装置において、前段の中継装置からのＴＳ信号の同期信号を検出できなくなった場合、ＴＳ信号の代わりに送信制御部内蔵の所定のテスト信号を補助信号に多重するようにしたものである。
また、補助信号入力がなくなった場合、当該補助信号の代わりに送信制御部内で所定のダミーデータをＴＳ信号に多重するようにしたものである。
その結果、前段の中継装置に回線断や電源の入／切等があっても、ＴＳＬ中継装置に影響を与えず正常に補助信号を伝送でき、この補助信号を利用した中継装置のリモート制御・監視装置が正常動作する。また、補助信号入力がなくなった場合にも、補助信号の代わりにダミーデータが挿入されるので、本線のＴＳ信号を破綻させないで伝送することができる。
【００１０】
【発明の実施の形態】
以下、本発明のＴＳＬ中継装置における送信制御部の実施形態について、図面を参照しながら説明する。　図１に、実施形態の一例を挙げる。　入力信号は、ＡＳＩ　ＴＳ１とＡＲＩＢ　ＴＳ２の２種類あるため、データ選択回路１にて装置に設定されたどちらかを選択する。　次に、入力されたＴＳ信号から、ＴＳ同期検出回路２により同期信号パターンを探し出し、同期確立を行う。　次に、同期確立状態をＴＳ同期検出回路２内の同期監視回路で監視し、指定の回数以上同期信号パターンを受信しない場合、切換信号を発生し、これにより、通常／テスト信号切換回路３で生成した疑似ランダムテスト信号に切り換えて、連続した信号とする。　安定した連続信号に補助信号挿入回路４にて補助信号１１を入れる。補助信号１１を挿入したあと、変調回路５により規定の変調方式に変調し、送信高周波部７へ送り出す。
即ち、ＴＳＬ送信制御部の入力となる前段中継回線からのＴＳ信号の同期信号を検出して、同期信号がなくなった場合に、送信中の補助信号に影響を与えないよう、ＴＳＬ送信制御部内蔵のテスト信号に切り換える。　なお、補助信号入力がなくなった場合に、送信制御部内でダミーデータを挿入し、本線信号を破綻させないで伝送することも可能である。
【００１１】
また、図２に示すＴＳＬ通り中継システムの中で、中継装置受信高周波部１２や中継装置受信制御部１３の状態は、ＴＳＬ中継装置送信制御部１４内のＴＳ同期検出回路２により検出し、デジタル多重端局装置１８の指示によらず検出結果を補助信号に多重する。　多重した補助信号はＴＳＬ中継装置送信高周波部１５、ＴＳＬ中継装置受信高周波部１６、ＴＳＬ中継装置受信制御部１７を経由し、デジタル多重端局装置２０へ補助信号出力として伝送される。デジタル多重端局装置２０より得た情報を基に、リモコン親局２１はリモコン子局１９へ新たに指示を行うことも可能である。
【００１２】
【発明の効果】
以上説明した様に、本発明によれば、ＴＳＬ送信制御部の入力となる前段中継回線からのＴＳ信号の同期信号を検出して、同期信号がなくなった場合に送信中の補助信号に影響が与えないよう、ＴＳＬ送信制御部内蔵のテスト信号に切り換えれば、ＴＳＬ中継装置前段の中継装置に回線断や電源の入／切等があっても、ＴＳＬ中継装置に影響を与えず正常に補助信号を伝送でき、この補助信号を利用した中継装置のリモート制御・監視装置が正常動作する。即ち、ＴＳＬ中継装置の前段の中継回線の状態に影響されないだけでなく、メンテナンスを行う際も、特段ＴＳＬ送信中継装置の入力信号を切ることに注意を払わず行うことができ、放送事故を未然に防ぐことができる。
【図面の簡単な説明】
【図１】本発明に係るＴＳＬ送信制御部の一実施例を示すブロック図
【図２】デジタル変調方式ＴＳＬ通り中継システムの一例を示すブロック図
【符号の説明】
１：データ選択回路、２：ＴＳ同期検出回路、３：通常／テスト信号切換回路、４：補助信号挿入回路、５：変調回路、６：クロック分配・制御回路、７：送信高周波部、１１：補助信号、１２：中継装置受信高周波部、１３：中継装置受信制御部、１４：ＴＳＬ中継装置送信制御部、１５：ＴＳＬ中継装置送信高周波部、１６：ＴＳＬ中継装置受信高周波部、１７：ＴＳＬ中継装置受信制御部、１８：デジタル多重端局装置、１９：リモコン子局、２０：デジタル多重端局装置、２１：リモコン親局。
【図１】
2004104578.tif 000003
【図２】
2004104578.tif 000004